(57)【特許請求の範囲】
【請求項１】
インターネットを介して、サーバが参加者を募集するフォームをカレンダー形式で表示する機能と、サーバがクライアントからの登録情報を電子形式にて受け取り掲載情報データベースに保存する機能と、サーバが登録された内容を掲載者のホームページへのリンクやメールアドレスの公開を行いつつカレンダー形式で表示する機能と、さらにサーバが登録状況に関する統計情報を掲載情報データベースから自動集計・表示する機能と、を備えたことを特徴とする愛犬・愛猫カレンダー制作のための参加者招集システム。
【発明の詳細な説明】
【０００１】
【発明の属する技術分野】
本発明は、愛犬・愛猫の参加型カレンダーを制作するために、インターネットを介して、カレンダーに掲載する多数の仲間を効率的に招集し、労力なくカレンダーを制作できるためのシステムに関するものである。
【０００２】
【従来の技術】
犬好き・猫好きの人にとって、犬・猫のカレンダーは、毎年手に入れたいものの一つである。ただ、市販されているそれらのカレンダーはプロの写真家によって撮られたモデル犬・モデル猫の写真が掲載されているものであり、飼い主にとっては面白みに欠けるものである。
【０００３】
では、仲間を募って自分達の愛犬・愛猫の載った参加型のオリジナル・カレンダーを作ろうということを考えた場合、すべての参加者が満足する高品質のカレンダーを制作するためには、印刷工程の業者委託費を始めとする制作コストがかさむため、一人あたりのコストを下げるためにもより多くの仲間の参加を必要とする。しかし、日々の行動範囲の中（知り合い、散歩仲間等）では、カレンダー制作に賛同する愛犬・愛猫仲間はなかなか多く集らないし、また仲間を集めるための効率的な仕組みもない。
【０００４】
仮に、インターネットのメーリング・リスト等を用いてある程度の仲間を集める環境があっとしても、カレンダー制作にあたって、メンバーから個別に愛犬・愛猫の写真を収集し適切な掲載サイズに加工・編集したり、カレンダー内での掲載希望箇所を各人の要望に合わせて調整したり、掲載に必要な付随情報や掲載者の個人情報を管理したりするのは、並大抵ではない労力を必要とする。
【０００５】
【発明が解決しようとする課題】
以上のように、多くの仲間を募った愛犬・愛猫の掲載された参加型カレンダーの制作にあたり、従来の技術では、カレンダー掲載の参加者を効率的に集める手段がなく、またカレンダー制作の作業に膨大な労力がかかるという問題を有していた。
本発明は、これらの問題を解決すべく、愛犬・愛猫の参加型カレンダーの制作にあたり、以下の２つを実現するシステムを提供することを目的としている。
イ）カレンダーに掲載する多数の仲間を効率的に招集する。
ロ）カレンダー制作の労力を軽減する。
【０００６】
【発明を解決するための手段】
本発明は、請求項１記載の４つの機能により、上記２つの課題を解決している。
まずは、インターネットを介して、サーバが参加者を募集するフォームをカレンダー形式で表示する機能である。これは、前述のイ）とロ）の両方の課題を解決する。イ）に関しては、愛犬・愛猫の掲載された参加型カレンダーを実現したいという共通の目的を持つ広域の人々を、インターネットの活用により結びつける。参加者を募集する活動は特に行わず、参加者を広げるのに最も効果的な手段である“口コミ”によって広がることを基本としている。さらに掲載募集をカレンダー形式にて行うことにより、掲載箇所に日付という意味が付加されるため面白みが増し、さらなる口コミを誘うのである。ロ）に関しては、掲載募集をカレンダー形式のフォームを用いることにより、参加者は自ら掲載箇所（掲載日）を選んで、言い換えれば掲載箇所に納得した上で登録をするシステムとなっているため、個別に掲載希望箇所の要望を聞き調整するような作業は不要となる。これにより、後工程であるカレンダー制作の労力が軽減されるのである。
【０００７】
次に、インターネットを介して、サーバがクライアントからの登録情報を電子形式にて受け取り、掲載情報データベースに保存する機能である。これも、前述のイ）とロ）の両方の課題を解決する。イ）に関しては、参加者自ら登録作業を行える仕組みを提供することにより、登録時に管理者の介在が不要となり、効率的に仲間を招集できるのである。ロ）に関しては、登録時には、画像のサイズや画像ファイルの大きさ、画像フォーマットが掲載条件に合致しているものだけ掲載を受け付ける。犬名（猫名）・都道府県・性別・誕生日等の付随情報も、必要事項がすべて記載されている場合のみ掲載を受け付ける。そのため、画像および付随情報は統一様式にて漏れなくデータベースに保存されることになり、後のカレンダー制作時に画像を統一の大きさに編集する等の加工作業が一切不要であり、また付随情報についても様式を整える必要がなくかつ電子形式であるため、ＣＳＶ形式やＸＭＬ形式でイラスト制作ソフトへのデータの受け渡しを容易に行うことができ、カレンダー制作の労力が軽減されるのである。
【０００８】
次に、インターネットを介して、サーバが登録された内容を掲載者のホームページへのリンクやメールアドレスの公開を行いつつ、カレンダー形式で表示する機能である。これは、前述のイ）の課題を解決する。登録された愛犬・愛猫の画像がカレンダー形式にて付随情報（掲載者のホームページのＵＲＬやメールアドレス等）とともに紹介されるため、犬・猫という共通の趣味を有する人との情報交換や、仲間のホームページを探すためのポータルサイト的用途としても使用できる。これにより、サイトに訪れる価値が増し、仲間に口コミで紹介する要因にもなり、さらに多くの参加者を招集することができるのである。
【０００９】
最後に、サーバが登録状況に関する統計情報を掲載情報データベースから自動集計・表示する機能である。これは、前述のイ）の課題を解決する。統計情報とは、犬種別（猫種別）ランキング、都道府県別ランキング、犬名（猫名）別ランキング、本日のお誕生日犬（猫）リスト等である。各種ランキングの表示は、参加者を招集するにあたり、競技的な面白みを付加することによって競争心を煽り、口コミによる参加者の輪を広げるための手段であり、これによりさらに多くの参加者を効率的に招集できるのである。
【００１０】
【発明の実施の形態】
本発明の実施形態について図面を参照して説明する。図１は、本実施形態のシステム全体構成とフロー概要である。サービスを提供するサーバ(101)とクライアント(102)はインターネット(104)を介して結ばれ、サーバ内のWEBサーバ機能(105)上でサーバ・サイドに稼動するＣＧＩ等により、動的にＨＴＭＬファイルを作成し、クライアントにブラウザ経由でカレンダー形式フォーム等の各種ページを提供する。クライアントからの愛犬・愛猫の登録情報は、同じくサーバ・サイドに稼動するＣＧＩ等を通して掲載情報データベース(103)に蓄積され、上述の動的ＨＴＭＬファイル作成の際には、この掲載情報データベースの内容が用いられる。
【００１１】
【実施例】
▲１▼掲載フォーム公開
まずは、前年度の早い段階（１月頃）に犬種を準備（図２）し、翌年度のカレンダー形式のフォームを公開（図３）し、参加者の登録の受け付けを開始する。準備していない犬種の追加リクエストは、メール等で随時受け付ける。
▲２▼掲載登録受付
掲載希望者は、上記▲１▼のカレンダー形式フォームの空いている日から希望日を選択し、参加者自らの手で登録を行う。登録する日は、愛犬の誕生日や愛犬と出会った日等、自由に選択できる。なお、多くの人が参加できるよう、１匹の掲載できる日数は１日のみ、一人の掲載できる日数は３日以内等の制限を設けておく。複数の愛犬を、１画像にて１日に掲載することも可能である。
登録の際、特定のフォーマットで掲載を受け付け（図４）、必要事項が記載され、かつ画像サイズや画像ファイルの大きさ、画像フォーマットが掲載条件をすべて満たしているもののみ掲載を受け付ける。登録された情報は、画像ファイルとともに、サーバ内の掲載情報データベースに格納される。
▲３▼掲載情報表示・修正
登録された愛犬の情報は、カレンダー形式で表示される（図５）。ここで使用するカレンダー形式のフォーム（フォームを表示するＣＧＩ等のプログラム）は、▲１▼で使用したものと同じである。各犬の画像部分(501)のクリック要求により、愛犬に関してさらに詳細な情報を表示する紹介ページを表示する（図６）。この紹介ページでは、登録された情報に基づき、愛犬の画像(601)の他に掲載者のホームページへのリンク(602)やメールアドレス(603)、性別、コメント等の付随情報を合わせて表示する。また、掲載内容の修正が行えるよう、登録時に入力したパスワードを入力(604)することにより、修正・削除が行える登録時と同じフォーム（図４）を提供する機能を備えている。
▲４▼統計情報表示
掲載情報に関する統計情報として、現時点の犬種別の登録犬数および目標達成（３６５日すべての枠が埋まる）までの犬種別の残り犬数等を自動集計・表示する機能(701)、犬種別(701)・都道府県別(702)・犬の名前別(703)などの各種ランキングを自動収集・表示する機能（図７）、また本日のお誕生日犬リストを表示する機能等を提供する。
▲５▼掲載受付終了
前年度の中頃（７〜８月頃）に掲載申し込みの締め切りを行い、３６５日のすべてが埋まり目標を達成した犬種は、そのままの形式を使用して、翌年度の犬種別のカレンダー制作を決定する。逆に、３６５日集らなかった犬種はカレンダーを制作しない。これは、３６５日集らなかったということは、参加者の数が少ないということであり、カレンダー制作・印刷コストの回収が行えない可能性が高いためである。
▲６▼カレンダー制作
ＣＳＶ形式やＸＭＬ形式にて掲載情報データベースからカレンダー制作に必要なデータを、イラスト制作ソフトに取り込み、カレンダーのデザイン・校正を行う。カレンダー印刷は、印刷業者に委託する等により、高品質のカレンダーを実現する。
▲７▼カレンダー案内
カレンダーの印刷の仕上がりが近づいた時点で、登録者全員に案内のメールを送付するとともに、ホームページ上で案内を表示する。
▲８▼カレンダー注文受付
ホームページ上でカレンダー注文の受け付けを開始する。これらの受付の仕組みも、ＣＧＩ等でプログラムを作成することができる。
▲９▼カレンダー発送
注文に従い発送、料金回収を行う。
【００１２】
以上が、犬種別にカレンダーを制作する際の例である。なお、本発明の愛犬・愛猫カレンダー制作のための参加者招集システムは、上述の実施例に述べた犬の場合に限定されず、猫の場合も含んでいる。
また、実施例では１日に１匹を掲載する方式となっているが、これに限定されず、１日に数匹を掲載する場合や日付と特に連動しないケースもある。
さらに、カレンダー制作のカテゴリー分けの単位も実施例では犬種別（犬種単位）となっているが、いくつかの犬種をグループ化した単位や全犬を対象に１つのカレンダーとする等の展開もある。
【００１３】
【発明の効果】
以上に説明した通り、本発明によれば、愛犬・愛猫を参加型カレンダーへ掲載する仲間を効率的に招集できるとともに、労力なくカレンダーを制作することができる。かつ、そのカレンダーは多くの参加者により成り立っているため、毎年コンスタントな需要を確実に見込めるのである。
また、参加者招集の過程で作成されるホームページ上でのカレンダー形式による巨大なリンク集は、犬・猫という共通の趣味を有する仲間同士の情報交流の場・出会いの場となり、ポータルサイト的な役割を果たす。さらには、参加者間での口コミという強調作業の結果、３６５日すべての枠が埋まり制作されたカレンダーは、参加者にとって仲間との記念の品となり、心の癒しとして作用する効果もある。
【図面の簡単な説明】
【図１】システム全体構成とフロー概要である。
【図２】サーバが表示する 掲載を行っている犬種一覧である。
【図３】サーバが表示する 掲載結果を含む前のカレンダー形式のフォームである。
【図４】クライアントが記入する 特定フォーマットの登録・修正用フォームである。
【図５】サーバが表示する 掲載結果を含むカレンダー形式のフォームである。
【図６】サーバが 付随情報を含む愛犬の詳細を表示するページである。
【図７】サーバが 各種ランキング情報を集計・表示するページである。
【符号の説明】
101. サーバ
102. クライアント
103. 掲載情報データベース
104. インターネット
105. Ｗｅｂサーバ機能
501. カレンダー形式フォームでの愛犬画像
601. 愛犬詳細紹介ページでの愛犬画像
602. 掲載者のＵＲＬにリンクしたホームページ名
603. メールアドレスを含む飼い主名
604. パスワード入力による修正・削除機能
701. 犬種別ランキング
702. 都道府県別（お国別）ランキング
703. 犬名別ランキング
【図１】
0004756170.tif 000002
【図２】
0004756170.tif 000003
【図３】
0004756170.tif 000004
【図４】
0004756170.tif 000005
【図５】
0004756170.tif 000006
【図６】
0004756170.tif 000007
【図７】
0004756170.tif 000008